(57)【要約】【課題】本発明は、外壁材と外壁用役物との一体感を確保しつつ、製造コストを低減できる外壁用役物を提供することを目的とするものである。【解決手段】外壁用役物５には、カバー材５０と芯材５１とが含まれている。カバー材５０には、芯材５１のカバー取付部５１０に重ねられるカバー本体５００と、基材に芯材５１が係合された際に出隅部と重なる領域内においてカバー本体５００の長手方向５００ａに沿う両端から延出された挟持片５０１とが含まれている。挟持片５０１とカバー本体５００との間にカバー取付部５１０が挟持されることで、カバー材５０の裏側に芯材５１が固定されている。【選択図】図３
2013151807.tif 000002
【特許請求の範囲】
【請求項１】
全体として断面Ｌ字状に形成された長手状のカバー材（５０）と、前記カバー材（５０）の裏側に固定された芯材（５１）とを備え、建築躯体（１）に固定された基材（３）に前記芯材（５１）が係合されることにより、前記建築躯体（１）に取付けられた外壁材（２）間の隅部を前記カバー材（５０）によって覆う外壁用役物（５）であって、
前記芯材（５１）には、全体として断面Ｌ字状に形成されたカバー取付部（５１０）が設けられ、
前記カバー材（５０）には、前記隅部の延在方向に沿って延在されるように長手状に形成されるとともに前記カバー取付部（５１０）に重ねられたカバー本体（５００）と、前記基材（３）に前記芯材（５１）が係合された際に前記隅部と重なる領域内において前記カバー本体（５００）の長手方向（５００ａ）に沿う両端から延出された挟持片（５０１）とが設けられており、
前記カバー本体（５００）と前記挟持片（５０１）との間に前記カバー取付部（５１０）が挟持されることで、前記カバー材（５０）の裏側に前記芯材（５１）が固定されていることを特徴とする外壁用役物。
【請求項２】
前記カバー本体（５００）は、全体として平板状に延在されるとともに互いに直交する一対の平板部（５２０）により構成されており、
各平板部（５２０）の短手方向に沿う外端には、各平板部（５２０）の裏面と連続する壁面同士が互いに接触するように前記カバー材（５０）の素材板部材が折り返されることで形成された第１及び第２折返部（５０３，５０４）が設けられていることを特徴とする請求項１記載の外壁用役物。
【請求項３】
前記カバー本体（５００）は、前記長手方向（５００ａ）に沿う中間部において前記カバー取付部（５１０）と接着されていることを特徴とする請求項１又は請求項２に記載の外壁用役物。
【発明の詳細な説明】
【技術分野】
【０００１】
本発明は、建築躯体に取付けられた外壁材間の隅部を覆うための外壁用役物に関するものである。
【背景技術】
【０００２】
一般に、建築躯体に複数の外壁材を取付けることで、建築物の外壁を形成することが行われている。外壁材間には、外壁材間の空隙である隅部が形成される。なお、隅部には、建築物の突出した角に形成される出隅部と、建築物の窪んだ角に形成される入隅部とが含まれる。この隅部を覆うために、隅部に外壁用役物が取付けられる。外壁用役物は、全体として断面Ｌ字状に形成された長手状のカバー材と、このカバー材の裏側に固定された芯材とにより構成されている。建築躯体に固定された基材に芯材が接続されることにより、外壁用役物全体が建築躯体に固定される。カバー材には、隅部の延在方向に沿って延在されるように長手状に形成されたカバー本体が含まれている。
【０００３】
カバー材に対する芯材の固定方法として、下記の特許文献１，２に開示された方法を挙げることができる。特許文献１には、カバー本体の短手方向（幅方向）に沿う両端において、カバー材の素材板部材を折り返して芯材のカバー取付部を挟み込む方法が開示されている。特許文献２には、カバー材の素材板部材を裏側に折り曲げることによりカバー本体の裏側に複数の係合爪を形成し、この係合爪に芯材を係合させる方法が開示されている。
【先行技術文献】
【特許文献】
【０００４】
【特許文献１】特開２００５−２４０４７１号公報
【特許文献２】特開２００５−２６４７０５号公報
【発明の概要】
【発明が解決しようとする課題】
【０００５】
特許文献１のように、カバー本体の短手方向に沿う両端において、カバー材の素材板部材を折り返して芯材のカバー取付部を挟み込む構成を採ると、短手方向両端が厚くなることにより外壁用役物の表面が外壁材の表面から浮き上がってしまい、外壁材と外壁用役物との一体感が損なわれてしまう。
一方で、特許文献２のように、カバー本体の裏側に形成した複数の係合爪に芯材を係合させる構成を採ると、外壁用役物の短手方向両端の厚みを抑えることにより外壁材と外壁用役物との一体感を確保できるが、係合爪を形成するためのプレス金型が複雑になるとともに、使用する素材板部材が大きくなり、製造コストが増大してしまう。
【０００６】
本発明は、上記のような課題を解決するためになされたものであり、その目的は、外壁材と外壁用役物との一体感を確保しつつ、製造コストを低減できる外壁用役物を提供することである。
【課題を解決するための手段】
【０００７】
本発明に係る外壁用役物は、全体として断面Ｌ字状に形成された長手状のカバー材と、カバー材の裏側に固定された芯材とを備え、建築躯体に固定された基材に芯材が係合されることにより、建築躯体に取付けられた外壁材間の隅部をカバー材によって覆う外壁用役物であって、芯材には、全体として断面Ｌ字状に形成されたカバー取付部が設けられ、カバー材には、隅部の延在方向に沿って延在されるように長手状に形成されるとともにカバー取付部に重ねられたカバー本体と、基材に芯材が係合された際に隅部と重なる領域内においてカバー本体の長手方向に沿う両端から延出された挟持片とが設けられており、カバー本体と挟持片との間にカバー取付部が挟持されることで、カバー材の裏側に芯材が固定されている。
【発明の効果】
【０００８】
本発明の外壁用役物によれば、隅部と重なる領域内においてカバー本体の長手方向に沿う両端から延出された挟持片とカバー本体との間にカバー取付部が挟持されることで、カバー材の裏側に芯材が固定されているので、外壁材と外壁用役物との一体感を確保しつつ、製造コストを低減できる。
【図面の簡単な説明】
【０００９】
【図１】本発明の実施の形態１による外壁用役物を示す斜視図である。
【図２】図１の基材及び外壁用役物を示す平面図である。
【図３】図２の外壁用役物の裏側を示す斜視図である。
【図４】図３の外壁用役物のカバー材を示す展開正面図である。
【図５】本発明の実施の形態２による外壁用役物を示す斜視図である。
【図６】図５の外壁用役物を示す平面図である。
【図７】本発明の実施の形態３による外壁用役物を示す斜視図である。
【発明を実施するための形態】
【００１０】
以下、本発明を実施するための形態について、図面を参照して説明する。
実施の形態１．
図１は、本発明の実施の形態１による外壁用役物５を示す斜視図である。図において、例えば家屋等の建築物の建築躯体１には、建築物の外方から見たときに長方形状の外形を有する複数枚の外壁材２が取付けられている。各外壁材２は、その長手方向が建築物の高さ方向に沿うように配置されている。図示はしないが、各外壁材２の長手方向両端には、凹部及び凸部からなる接合部が設けられている。各外壁材２は、それらの接合部が互いに接合されることにより建築物の高さ方向に沿って連結されている。建築物の突出する角においては、各外壁材２が出合うことにより出隅部（隅部）が形成されている。この出隅部は、建築物の高さ方向に沿って長手状に延在された外壁材２間の空隙である。
【００１１】
また、建築躯体１には、出隅部に対応する位置に基材３が固定されている。建築躯体１と基材３との間には、透湿防水紙４が介在されている。
【００１２】
基材３には、出隅部を覆うための複数の外壁用役物５が取付けられている。各外壁用役物５は、建築物の外方から見たときに建築物の角を構成している。各外壁用役物５は、その長手方向が出隅部の延在方向（建築物の高さ方向）に沿うように配置されており、長手方向両端において互いに連結されている。各外壁用役物５の長手方向に沿う長さは、各外壁材２の長手方向に沿う長さと等しくされている。すなわち、各外壁用役物５は、各外壁材２の連結位置において互いに連結されている。
【００１３】
次に、図２は、図１の基材３及び外壁用役物５を示す平面図である。なお、図２では、透湿防水紙４の図示を省略している。図２に示すように、基材３には、建築躯体１に固定される固定部３０と、固定部３０と一体に形成された係合爪３１とが設けられている。
【００１４】
外壁用役物５には、全体として断面Ｌ字状に形成された長手状のカバー材５０と、カバー材５０の裏側（外壁用役物５が基材３に取付けられた際に外観に現れない側部）に固定された芯材５１とが設けられている。なお、出隅部を覆う外壁用役物５においては、カバー材５０の裏側は、カバー材５０の凸角側端面である（カバー材５０が９０°の角をなす側の端面）。
【００１５】
芯材５１は、断面矢印状の部材である。この芯材５１には、全体として断面Ｌ字状に形成されたカバー取付部５１０と、カバー取付部５１０の角部から凸角側領域に向けて突出された係合部５１１とが設けられている。カバー取付部５１０は、後に詳しく説明するようにカバー材５０と芯材５１との固定に用いられる部分である。係合部５１１の先端５１１ａは、断面三角形状に形成されている。この係合部５１１の先端５１１ａが基材３の係合爪３１に係合されることで、外壁用役物５が基材３に取付けられている。
【００１６】
次に、図３は図２の外壁用役物５の裏側を示す斜視図であり、図４は図３の外壁用役物５のカバー材５０を示す展開正面図である。カバー材５０は、図４に示す素材板部材が折り曲げ加工されることにより形成される。このカバー材５０には、カバー本体５００（図４参照）と、挟持片５０１と、連結用舌片５０２と、第１及び第２折返部５０３，５０４とが設けられている。
【００１７】
カバー本体５００は、芯材５１のカバー取付部５１０に重ねられる部分であり、全体として断面Ｌ字状に形成されている。外壁用役物５が基材３に取付けられた際、このカバー本体５００の表面が建築物の外観に現れる。カバー本体５００は、出隅部の延在方向に沿って延在されるように長手状に形成されている。
【００１８】
挟持片５０１は、カバー本体５００の長手方向５００ａに沿う両端（カバー本体５００の上端及び下端）からそれぞれ一対ずつ延出されている。カバー本体５００の短手方向５００ｂに沿う挟持片５０１が延出される位置は、図２に示すように基材３に芯材５１が係合された際に出隅部と重なる領域内である。カバー本体５００の短手方向５００ｂに沿う一対の挟持片５０１の全体としての幅は、出隅部の幅よりも狭くされている（図２参照）。
【００１９】
図２及び図３に示すように、カバー本体５００と挟持片５０１との間に芯材５１のカバー取付部５１０が挟持されることで、カバー材５０の裏側に芯材５１が固定されている。このように、出隅部と重なる領域内においてカバー本体５００の長手方向５００ａに沿う両端から延出された挟持片５０１とカバー本体５００との間にカバー取付部５１０が挟持されることでカバー材５０の裏側に芯材５１が固定されることにより、芯材５１のカバー取付部５１０を挟持することにより生じる厚みの増大を出隅部内に吸収させることができる。これにより、例えば特許文献２等に開示されたような複雑な構成を必要とせずに外壁用役物５の表面が外壁材２の表面から浮き上がることを回避でき、外壁材２と外壁用役物５との一体感を確保しつつ、製造コストを低減できる。
【００２０】
カバー本体５００は、長手方向５００ａに沿う中間部においてカバー取付部５１０と接着されている。このように、中間部においてカバー本体５００をカバー取付部５１０と接着することで、中間部におけるカバー本体５００とカバー取付部５１０との接合強度を向上させることができる。この接着には、例えば変性シリコーン樹脂系接着剤等の弾性接着剤が用いられる。これは、意匠性向上のために、例えばエンボス加工等によりカバー本体５００に凹凸が付された場合でも、弾性接着剤であれば厚塗りすることにより凹凸に追従でき、十分な接着強度を確保できるためである。
【００２１】
連結用舌片５０２は、カバー本体５００の上端から突出された舌片であり、外壁用役物５同士の連結に用いられるものである。また、連結用舌片５０２は、挟持片５０１間に配置されている。すなわち、連結用舌片５０２は、挟持片５０１と同様に、基材３に芯材５１が係合された際に目地部と重なる領域内に設けられている。
【００２２】
図３に示すように、連結用舌片５０２には、カバー本体５００から延出された延長壁５０２ａと、延長壁５０２ａの先端に形成された舌片本体５０２ｂとが設けられている。連結用舌片５０２は、プレス加工等により成形されることで、カバー本体５００の表面よりも舌片本体５０２ｂが裏面側（係合部５１１の先端５１１ａ側）に位置される（図３参照）。
【００２３】
舌片本体５０２ｂには、連結用孔５０２ｃが形成されている。外壁用役物５が他の外壁用役物５と連結される場合、前者の舌片本体５０２ｂが後者の下端裏側に重ねられ、前者の連結用孔５０２ｃと後者の外壁用役物５とに釘等の連結部材が打ち込まれる。上述のように舌片本体５０２ｂがカバー本体５００の表面よりも裏面側に位置されていることで、連結された外壁用役物５のカバー本体５００の外面は一平面を形成する。すなわち、連結された外壁用役物５のカバー本体５００の表面間には、段差が生じない。
【００２４】
ここで、カバー本体５００は、全体として平板状に延在されるとともに互いに直交する一対の平板部５２０により構成されている。第１及び第２折返部５０３，５０４は、平板部５２０の短手方向に沿う外端に形成されている。これら第１及び第２折返部５０３，５０４は、平板部５２０の裏面と連続する壁面同士が互いに接触するようにカバー材５０の素材板部材が折り返されることで形成されている。すなわち、第１及び第２折返部５０３，５０４は、芯材５１のカバー取付部５１０を挟み込んでいない。このような第１及び第２折返部５０３，５０４が形成されることで、外壁用役物５の短手方向両端が厚くなることを回避しつつ、素材板部材の端面が露出することを回避できる。
【００２５】
このような外壁用役物では、出隅部と重なる領域内においてカバー本体５００の長手方向５００ａに沿う両端から延出された挟持片５０１とカバー本体５００との間にカバー取付部５１０が挟持されることで、カバー材５０の裏側に芯材５１が固定されているので、芯材５１のカバー取付部５１０を挟持することにより生じる厚みの増大を出隅部内に吸収させることができる。これにより、特許文献２に開示されたような複雑な構成を必要とせずに外壁用役物５の表面が外壁材２の表面から浮き上がることを回避でき、外壁材２と外壁用役物５との一体感を確保しつつ、製造コストを低減できる。
【００２６】
また、各平板部５２０の短手方向に沿う外端には、各平板部５２０の裏面と連続する壁面同士が互いに接触するようにカバー材５０の素材板部材が折り返されることで形成された第１及び第２折返部５０３，５０４が設けられているので、カバー本体５００の短手方向両端で芯材５１を挟持する場合に比べて外壁用役物５の短手方向両端が厚くなることを回避できるとともに、素材板部材の端面が露出することを回避できる。
【００２７】
さらに、カバー本体５００は、長手方向に沿う中間部においてカバー取付部５１０と接着されているので、中間部におけるカバー本体５００とカバー取付部５１０との接合強度を向上させることができる。
【００２８】
実施の形態２．
図５は本発明の実施の形態２による外壁用役物５を示す斜視図であり、図６は図５の外壁用役物５を示す平面図である。実施の形態１では、建築物の突出する角に形成された出隅部を外壁用役物５によって覆うように説明したが、図５及び図６に示すように、建築物の窪んだ角に形成された入隅部（隅部）を外壁用役物５によって覆うこともできる。入隅部とは、建築物の窪んだ角において各外壁材２が入り合うことで形成された外壁材２間の隙間である。なお、入隅部を覆う外壁用役物５においては、芯材５１が固定されるカバー材５０の裏側は、カバー材５０の凹角側端面である（カバー材５０が２７０°の角をなす側の端面）。その他の構成は、実施の形態１と同様である。
【００２９】
実施の形態３．
図７は、本発明の実施の形態３による外壁用役物５を示す斜視図である。実施の形態１，２の説明で用いた図１〜図６では、カバー本体５００及びカバー取付部５１０が一対の平板がＬ字状に配された形状により構成されているように図示している。しかしながら、カバー本体５００及びカバー取付部５１０の形状は、外壁材２との一体性を得るために外壁材２の形状に対応される。外壁材２に複数の凹部が形成されている場合、図７に示すように、カバー本体５００及びカバー取付部５１０を構成する板面は、全体としては平板状に形成されつつ、各所において複数の凹部７が形成されてもよい。その他の構成は、実施の形態１と同様である。
【００３０】
なお、実施の形態１〜３では、カバー本体５００の長手方向５００ａに沿う上端及び下端からそれぞれ一対の挟持片５０１が延出されると説明しているが、上端及び下端から延出される挟持片の数は任意であり１つ又は３つ以上でもよい。
【符号の説明】
【００３１】
１  建築躯体
２  外壁材
２ａ  接合部
３  基材
３０  固定部
３１  係合爪
５  外壁用役物
５０  カバー材
５００  カバー本体
５０１  挟持片
５０３，５０４  第１及び第２折返部
５１  芯材
５１０  カバー取付部
６  スペーサ
【図１】
2013151807.tif 000003
【図２】
2013151807.tif 000004
【図３】
2013151807.tif 000005
【図４】
2013151807.tif 000006
【図５】
2013151807.tif 000007
【図６】
2013151807.tif 000008
【図７】
2013151807.tif 000009